(57)【要約】【課題】記録位置の違いによる光ディスクの傾きの影響および光ディスクの記録感度の違いによる影響を受けず、安定した記録品質で記録できる光ディスク記録方法を提供する。【解決手段】光ディスクのプログラムエリアをＳ３０１で複数の領域に分割しておき、データ記録容量に該当する分割された領域において、パワーキャリブレーションエリアで求められた記録レーザパワーにてＳ３１２で試し書きを行い、その再生信号をＳ３１４で判定し、記録品質が悪化している領域のみその領域内で最適記録レーザパワーをＳ３１５，Ｓ３１６，Ｓ３１７で決定し、データ記録の際、この試し書きされた領域および最適記録レーザパワー学習で記録した領域をＳ３１９からＳ３２２の間で上書きすることを特徴とする。【選択図】図３
2008204571.tif 000002
【特許請求の範囲】
【請求項１】
光ディスクの上書き可能なユーザーレコーダーブル領域内に記録信号を記録するに際し、
予め定義された複数の記録領域で、予めパワーキャリブレーションエリアで決定された記録レーザパワーで試し書きを行い、
記録された信号を再生し、記録品質を判定して記録品質が目標値に達していない領域においては、複数記録レーザパワーで試し書きを行い、その試し書きされた記録領域において信号を再生して記録品質を測定することにより記録品質が良好となる領域毎の最適記録レーザパワーを求め、記録開始後に各領域毎に最適記録レーザパワーを設定し記録する
光ディスク記録方法。
【請求項２】
光ディスクの上書き可能なユーザーレコーダーブル領域内に記録信号を記録するに際し、
記録を行う光ディスクのプログラムエリアの容量を把握し複数領域に分割するステップと、
前記光ディスクに記録をさせるデータの容量を把握するステップと、
記録信号を記録させる前記光ディスクの記録開始位置を把握するステップと、
前記光ディスクのプログラムエリアの容量を複数分割した領域と記録開始位置と前記記録信号を記録するべき前記光ディスクの記録容量を比較するステップと、
比較した結果から前記光ディスクにおいて試し書きを行う複数領域に定義するステップと、
前記光ディスクを指定された線速度で回転させるステップと、
前記光ディスクのパワーキャリブレーションエリアに光ピックアップを移動させるステップと、
前記光ディスクのパワーキャリブレーションエリアで記録用レーザパワーを決定するステップと、
前記定義した領域の先頭に光ピックアップを移動させるステップと、
前記定義した領域でパワーキャリブレーションエリアにて決定された記録レーザパワーで試し書きを行うステップと、
前記予めパワーキャリブレーションエリアで決定された記録レーザパワーで試し書きを行った領域を再生し記録品質を測定し判定するステップと、
前記定義した領域において複数の記録レーザパワーで試し書きを行うステップと、
複数の記録レーザパワーで試し書きした記録領域の記録信号を再生し、記録品質を測定し、光ディスクへの最適記録レーザパワーを決定するステップと
からなり、前記予め定義された複数の記録領域で、予めパワーキャリブレーションエリアで決定された記録レーザパワーで試し書きを行い、記録された信号を再生し、記録品質を判定し、記録品質が目標値に達していない領域においては、複数記録レーザパワーで試し書きを行い、その試し書きされた記録領域において、信号を再生し、記録品質を測定することにより、記録品質が良好となる領域毎の最適記録レーザパワーを求め、記録開始後、各領域毎に最適記録レーザパワーを設定し記録する
光ディスク記録方法。
【請求項３】
前記最適記録レーザパワーは、前記光ディスクに記録されたデータのＲＦ信号のアシンメトリ・変調度・ジッタ・バイトエラーレートのうち少なくとも１つ以上が目標値となる記録レーザパワーとする
請求項２記載の光ディスク記録方法。
【請求項４】
前記記録品質が目標値に達していない記録領域における最適記録レーザパワーの決定処理において、試し書きを行う複数の記録レーザパワーの基準をパワーキャリブレーションエリアで決定した記録レーザパワーとする
請求項２記載の光ディスク記録方法。
【請求項５】
前記記録品質が目標値に達していない記録領域における最適記録レーザパワーの決定処理において、試し書きを行う複数の記録レーザパワーの基準をひとつ前の領域で決定された最適記録レーザパワーとする
請求項２記載の光ディスク記録方法。
【請求項６】
光ディスクに対して記録レーザパワーの照射、再生レーザパワー照射、前記光ディスクから反射光の受光を行う光学ヘッド手段と、
前記光ディスクの記録領域からの反射光の光学ヘッド手段で受光された信号からアシンメトリ・変調度・ジッタ・バイトエラーレートの検出を行う信号処理手段と、
前記光ディスクを指定された線速度で回転させる光ディスク回転制御手段と、
前記光ディスクの指定された位置に光学ヘッド手段を移動させるトラバース移動制御手段と、
前記光ディスクのプログラムエリアの容量把握し、複数領域に分割し、記録信号を記録するべき前記光ディスクの記録容量を把握し、前記記録信号を記録するべき前記光ディスクの記録開始位置を把握し、前記光ディスクのプログラムエリアの容量を複数分割した領域および記録開始位置と記録信号を記録するべき前記光ディスクの記録容量を比較し、比較した結果から、前記光ディスクにおいて予め試し書きを行う複数領域に定義することのできる中央処理手段と、
前記光ディスクに対して中央処理手段または信号処理手段から指定された複数の記録レーザパワーおよび再生レーザパワーを制御するレーザ制御手段と、
前記光ディスクに対する最適記録パワーを記憶する記憶手段と
を備え、記録開始後、各領域毎に最適記録レーザパワーを設定し記録するよう構成した
光ディスク記録装置。
【請求項７】
前記中央処理手段は、
前記光ディスクに記録されたデータのＲＦ信号のアシンメトリ・変調度・ジッタ・バイトエラーレートのうち少なくとも１つ以上が目標値となる記録レーザパワーを前記最適記録レーザパワーとするよう構成した
請求項６記載の光ディスク記録装置。
【請求項８】
前記中央処理手段は、
前記記録品質が目標値に達していない記録領域における最適記録レーザパワーの決定処理において、試し書きを行う複数の記録レーザパワーの基準をパワーキャリブレーションエリアで決定した記録レーザパワーとするよう構成した
請求項６記載の光ディスク記録装置。
【請求項９】
前記中央処理手段は、
前記記録品質が目標値に達していない記録領域における最適記録レーザパワーの決定処理において、試し書きを行う複数の記録レーザパワーの基準をひとつ前の領域で決定された最適記録レーザパワーとするよう構成した
請求項６記載の光ディスク記録装置。
【発明の詳細な説明】
【技術分野】
【０００１】
本発明は、上書き可能な記録型光ディスクに最適に記録する方法に関する。
【背景技術】
【０００２】
従来、記録型光ディスクに対する記録においては、光ディスク固有の推奨記録レーザパワー情報が光ディスクにプリフォーマットされている。記録装置はこのプリフォーマットされている推奨記録レーザパワー情報を読み出し、記録装置と記録される光ディスク間の最適記録レーザパワーを決定するために、光ディスクの位置情報を読み出し、光ディスクの最内周付近または最外周付近に設けられているパワーキャリブレーションエリアへ光ピックアップを移動し、このパワーキャリブレーションエリア内で複数の記録レーザパワーで試し書きを行う。
【０００３】
その後、この複数の記録レーザパワーで試し書きを行った領域を再生し、ＲＦ信号を測定する。このＲＦ信号より、記録装置が指定しているＲＦ信号になる記録レーザパワーを最適記録レーザパワーとしてプログラムエリアにデータ記録を行う。
【０００４】
また、上書き可能な記録型光ディスクに対する記録における記録レーザパワーの決定に関しては、例えば、記録を行う容量の略中間位置で記録レーザパワーを決定する方法および装置が提案されている。
【特許文献１】特開平６−４４５６３号公報
【発明の開示】
【発明が解決しようとする課題】
【０００５】
しかしながら、前記従来の構成では、最適記録レーザパワーの決定は、光ディスクの最内周付近又は最外周付近に設けられているパワーキャリブレーションエリア、あるいは記録を行う容量の略中間点で最適記録レーザパワーの決定し、実際にデータ記録を行うプログラムエリアにて記録を行うが、光ディスクのＣＤの物理フォーマットは半径２５ｍｍから５８ｍｍで構成されているため、パワーキャリブレーションエリアで最適記録レーザパワーを決定しても実際に記録を行うプログラムエリアとは位置が異なるため、記録を行う光ディスクの傾きや記録層の位置における記録感度の違いの影響を受け、プログラムエリアの最適記録のレーザパワーと異なり記録品質が悪くなる場合がある。
【０００６】
また、略中間点での最適記録レーザパワーの決定においても、記録を行うデータ容量が、光ディスクの全面に対するプログラムエリアの容量に近ければ近づく程、略中間点から離れる位置では、前記と同様に最適な記録状態からずれ、記録品質が悪くなる問題点がある。
【０００７】
本発明は、前記従来の課題を解決するもので、光ディスクの全面に対して安定した記録品質で記録できる記録方法および記録装置を提供することを目的とする。
【課題を解決するための手段】
【０００８】
本発明の請求項１記載の光ディスク記録方法は、光ディスクの上書き可能なユーザーレコーダーブル領域内に記録信号を記録するに際し、予め定義された複数の記録領域で、予めパワーキャリブレーションエリアで決定された記録レーザパワーで試し書きを行い、記録された信号を再生し、記録品質を判定して記録品質が目標値に達していない領域においては、複数記録レーザパワーで試し書きを行い、その試し書きされた記録領域において信号を再生して記録品質を測定することにより記録品質が良好となる領域毎の最適記録レーザパワーを求め、記録開始後に各領域毎に最適記録レーザパワーを設定し記録することを特徴とする。
【０００９】
本発明の請求項２記載の光ディスク記録方法は、光ディスクの上書き可能なユーザーレコーダーブル領域内に記録信号を記録するに際し、記録を行う光ディスクのプログラムエリアの容量を把握し複数領域に分割するステップと、前記光ディスクに記録をさせるデータの容量を把握するステップと、記録信号を記録させる前記光ディスクの記録開始位置を把握するステップと、前記光ディスクのプログラムエリアの容量を複数分割した領域と記録開始位置と前記記録信号を記録するべき前記光ディスクの記録容量を比較するステップと、比較した結果から前記光ディスクにおいて試し書きを行う複数領域に定義するステップと、前記光ディスクを指定された線速度で回転させるステップと、前記光ディスクのパワーキャリブレーションエリアに光ピックアップを移動させるステップと、前記光ディスクのパワーキャリブレーションエリアで記録用レーザパワーを決定するステップと、前記定義した領域の先頭に光ピックアップを移動させるステップと、前記定義した領域でパワーキャリブレーションエリアにて決定された記録レーザパワーで試し書きを行うステップと、前記予めパワーキャリブレーションエリアで決定された記録レーザパワーで試し書きを行った領域を再生し記録品質を測定し判定するステップと、前記定義した領域において複数の記録レーザパワーで試し書きを行うステップと、複数の記録レーザパワーで試し書きした記録領域の記録信号を再生し、記録品質を測定し、光ディスクへの最適記録レーザパワーを決定するステップとからなり、前記予め定義された複数の記録領域で、予めパワーキャリブレーションエリアで決定された記録レーザパワーで試し書きを行い、記録された信号を再生し、記録品質を判定し、記録品質が目標値に達していない領域においては、複数記録レーザパワーで試し書きを行い、その試し書きされた記録領域において、信号を再生し、記録品質を測定することにより、記録品質が良好となる領域毎の最適記録レーザパワーを求め、記録開始後、各領域毎に最適記録レーザパワーを設定し記録することを特徴とする。
【００１０】
本発明の請求項３記載の光ディスク記録方法は、請求項２において、前記最適記録レーザパワーは、前記光ディスクに記録されたデータのＲＦ信号のアシンメトリ・変調度・ジッタ・バイトエラーレートのうち少なくとも１つ以上が目標値となる記録レーザパワーとすることを特徴とする。
【００１１】
本発明の請求項４記載の光ディスク記録方法は、請求項２において、前記記録品質が目標値に達していない記録領域における最適記録レーザパワーの決定処理において、試し書きを行う複数の記録レーザパワーの基準をパワーキャリブレーションエリアで決定した記録レーザパワーとすることを特徴とする。
【００１２】
本発明の請求項５記載の光ディスク記録方法は、請求項２において、前記記録品質が目標値に達していない記録領域における最適記録レーザパワーの決定処理において、試し書きを行う複数の記録レーザパワーの基準をひとつ前の領域で決定された最適記録レーザパワーとすることを特徴とする。
【００１３】
本発明の請求項６記載の光ディスク記録装置は、光ディスクに対して記録レーザパワーの照射、再生レーザパワー照射、前記光ディスクから反射光の受光を行う光学ヘッド手段と、前記光ディスクの記録領域からの反射光の光学ヘッド手段で受光された信号からアシンメトリ・変調度・ジッタ・バイトエラーレートの検出を行う信号処理手段と、前記光ディスクを指定された線速度で回転させる光ディスク回転制御手段と、前記光ディスクの指定された位置に光学ヘッド手段を移動させるトラバース移動制御手段と、前記光ディスクのプログラムエリアの容量把握し、複数領域に分割し、記録信号を記録するべき前記光ディスクの記録容量を把握し、前記記録信号を記録するべき前記光ディスクの記録開始位置を把握し、前記光ディスクのプログラムエリアの容量を複数分割した領域および記録開始位置と記録信号を記録するべき前記光ディスクの記録容量を比較し、比較した結果から、前記光ディスクにおいて予め試し書きを行う複数領域に定義することのできる中央処理手段と、前記光ディスクに対して中央処理手段または信号処理手段から指定された複数の記録レーザパワーおよび再生レーザパワーを制御するレーザ制御手段と、前記光ディスクに対する最適記録パワーを記憶する記憶手段とを備え、記録開始後、各領域毎に最適記録レーザパワーを設定し記録するよう構成したことを特徴とする。
【００１４】
本発明の請求項７記載の光ディスク記録装置は、請求項６において、前記中央処理手段は、前記光ディスクに記録されたデータのＲＦ信号のアシンメトリ・変調度・ジッタ・バイトエラーレートのうち少なくとも１つ以上が目標値となる記録レーザパワーを前記最適記録レーザパワーとするよう構成したことを特徴とする。
【００１５】
本発明の請求項８記載の光ディスク記録装置は、請求項６において、前記中央処理手段は、前記記録品質が目標値に達していない記録領域における最適記録レーザパワーの決定処理において、試し書きを行う複数の記録レーザパワーの基準をパワーキャリブレーションエリアで決定した記録レーザパワーとするよう構成したことを特徴とする。
【００１６】
本発明の請求項９記載の光ディスク記録装置は、請求項６において、前記中央処理手段は、前記記録品質が目標値に達していない記録領域における最適記録レーザパワーの決定処理において、試し書きを行う複数の記録レーザパワーの基準をひとつ前の領域で決定された最適記録レーザパワーとするよう構成したことを特徴とする。
【発明の効果】
【００１７】
この構成によると、メディアの傾きおよび位置における記録感度の違いに関係なく最適な記録レーザパワーを決定および設定し、光ディスクの全面に対して、安定した記録品質で記録することができる。
【発明を実施するための最良の形態】
【００１８】
以下、本発明の光ディスク記録方法を具体的な実施の形態に基づいて説明する。
（実施の形態１）
図１〜図４は本発明の（実施の形態１）を示す。
【００１９】
図９は、本発明の（実施の形態１）におけるＲＦ信号のアシンメトリ、変調度の説明図を示す。
図１において、光ディスク１は、例えばＣＤ−ＲＷ光ディスクやＤＶＤ−ＲＷ光ディスク、ＤＶＤ＋ＲＷ光ディスクといった上書き可能な光ディスクなどである。２は光ディスク回転制御手段で、光ディスク１を所定の回転速度で回転させる。３は光学ヘッド手段で、光ディスク１にレーザＬＢを照射してデータを記録するとともに、光ディスク１からの反射光を受光する。４はトラバース駆動制御手段で、送りネジ軸４ａを回転駆動して、この送りネジ軸４ａに係合している前記光学ヘッド手段３を光ディスク１の半径方向に移送させる。５は信号処理手段で、再生信号処理、サーボ信号処理、記録信号処理などを行う。６はレーザ制御手段で、６はレーザ制御手段で、記録したいデータを記録するために、記録レーザパワーの制御を行う。７は中央処理手段で、決められた制御プログラムに応じて、記憶手段８の情報を読み出しおよび書き込みを行いながら光ディスク装置全体の制御を行う。
【００２０】
図３は中央処理手段７の構成を示し、光ディスクのプログラムエリアをＳ３０１で複数の領域に分割しておき、データ記録容量に該当する分割された領域において、パワーキャリブレーションエリアで求められた記録レーザパワーにてＳ３１２で試し書きを行い、その再生信号をＳ３１４で判定し、記録品質が悪化している領域のみその領域内で最適記録レーザパワーをＳ３１５，Ｓ３１６，Ｓ３１７で決定し、データ記録の際、この試し書きされた領域および最適記録レーザパワー学習で記録した領域をＳ３１９からＳ３２２の間で上書きしている。
【００２１】
順を追って説明する。
データ記録を行う指示を検出した中央処理手段７は図３のフローを実行する。
まずステップＳ３０１では、記録する光ディスク１のプログラムエリア容量を把握し、複数領域に分割する。
【００２２】
ステップＳ３０２では、記録すべきデータ容量を把握する。
ステップＳ３０３では、その記録を開始する位置を把握する。
ステップＳ３０４では、先にステップＳ３０１で把握された記録する光ディスク１の分割された領域と、ステップＳ３０２で把握された記録すべきデータ容量と、ステップＳ３０３で把握された記録開始位置を比較する。
【００２３】
ステップＳ３０５では、記録を行う領域内の試し書きを行う領域を設定する。
その後、ステップＳ３０６では、光ディスク回転制御手段２により光ディスク１を所定の回転速度で回転させる。
【００２４】
回転が安定した後、ステップＳ３０７では、光学ヘッド手段３をトラバース駆動制御手段４により光ディスク１の内周側パワーキャリブレーションエリアに移動させる。
ステップＳ３０８では、光学ヘッド手段３から出力される記録レーザパワーを、例えば、光ディスクにプリライトされている光ディスク固有の推奨記録レーザパワーを読み出し、学習用レーザパワーの基準として同じ割合で記録レーザパワーを減少増加するように算出し、算出された複数の記録レーザパワーを、レーザ制御手段６にて制御して記録し、記録した部分を再生して得られるＲＦ信号を信号処理手段５で処理して、アシンメトリ・変調度・ジッタ・ビットエラーレートのパラメータを検出する。これら検出したパラメータのうち少なくとも１つ以上が予め記憶手段８に設定されている目標値となるような記録レーザパワーを最適記録レーザパワー（Ｐｉｎ）として決定する。
【００２５】
ここで、図９にて、上記のＲＦ信号のアシンメトリ、変調度の説明を行う。
アシンメトリ、変調度は、記録パワーの指標として、一般に知られており、アシンメトリは、ＲＦ信号の非対称性を示すパラメータであり、算出は、
アシンメトリ＝（Ａ−Ｂ）÷（Ａ＋Ｂ）×１００
で求められる。また、変調度は、ＲＦ信号の振幅を示すパラメータであり、算出は、
変調度＝（Ａ＋Ｂ）÷Ｃ
で求められる。ジッタは、マーク、スペースの長さのばらつきを示すパラメータであり、ジッタが極端に悪くなると、マーク、スペースの長さを誤検出してしまうため、訂正不能に陥る場合がある。ビットエラーレートは、記録されたデータの誤り数を示すパラメータである。
【００２６】
内周側のパワーキャリブレーションエリアで最適記録パワー（Ｐｉｎ）が決定されれば、ステップＳ３０９では、各領域における最適記録レーザパワーテーブルを
Ｐｚ１、Ｐｚ２・・Ｐｚｎ＝Ｐｉｎ
として記憶しておく。
【００２７】
ステップＳ３１０では、データ記録がされる容量に対応する予めディスク全面に定義した複数の領域で、既に試し書きを行い、品質確認を行い、各領域での最適記録レーザパワーが設定されたかを確認する。
【００２８】
ステップＳ３１０において“全領域での最適記録レーザパワーの設定が完了していない”と判定された場合には、ステップＳ３１１で始まるルーチンを実行する。
ステップＳ３１１では、データ記録がされる容量に対応する予めディスク全面に定義した複数の領域の先頭に光学ヘッド手段３をトラバース駆動制御手段４により移動させる。
【００２９】
ステップＳ３１２では、光学ヘッド手段３から内周側のパワーキャリブレーションエリアで決定された最適記録レーザパワー（Ｐｉｎ）にて、数セクタに試し書きを行う。
ステップＳ３１３では、光学ヘッド手段３をトラバース駆動制御手段４により、試し書きを行った各領域に移動させるとともに、光学ヘッド手段３からレーザ制御手段６により設定された再生レーザパワーを照射し、再生する。
【００３０】
ステップＳ３１４では、ステップＳ３１３の再生時の反射光から得られるＲＦ信号を信号処理手段５で処理して、アシンメトリ・変調度・ジッタ・ビットエラーレートのパラメータを検出する。これらの検出したパラメータのうち少なくとも１つ以上が目標値となることを確認することにより、ディスクの位置における記録品質を判定する。
【００３１】
ステップＳ３１４において“各領域で試し書きをおこなって記録された領域で検出されたパラメータが、予め記憶手段８に設定されている目標値に達している”と判定された場合には、ステップＳ３１７を実行する。
【００３２】
ステップＳ３１７では、試し書きを行った記録レーザパワーをデータ記録用最適記録パワーと確定し、記憶手段８へ記憶し、ステップＳ３１０に戻る。
Ｐｚｎ´＝  Ｐｉｎ（ｎ＝１、２・・・）
ステップＳ３１４において“各領域で試し書きをおこなった記録された領域で検出されたパラメータが、予め記憶手段８に設定されている目標値に達しなかった”と判定された場合には、ステップＳ３１５を実行する。
【００３３】
ステップＳ３１５では、光学ヘッド手段３をトラバース駆動制御手段４により該当する領域に移動させ、該当領域での最適記録レーザパワーの学習Ｂを行う。図４にその具体的な学習のフローを示す。
【００３４】
図４に示すこの学習方法は、ステップＳ４０１〜ステップＳ４０５で構成されている。
ステップＳ４０１では、光学ヘッド手段３から出力される記録レーザパワーを、例えば、光ディスクにプリライトされている光ディスク固有の推奨記録レーザパワーを読み出す。
【００３５】
ステップＳ４０２では、学習用レーザパワーの基準として同じ割合で記録レーザパワーを減少増加するように算出する。
ステップＳ４０３では、算出された複数の記録レーザパワーをレーザ制御手段６にて制御して記録する。
【００３６】
ステップＳ４０４では、記録した部分を再生して得られるＲＦ信号を信号処理手段５で処理して、アシンメトリ・変調度・ジッタ・ビットエラーレートのパラメータを検出する。
【００３７】
ステップＳ４０５では、これら検出したパラメータのうち少なくとも１つ以上が記憶手段８に予め設定されている目標値となるような記録用レーザパワーを最適記録レーザパワー（Ｐａ）として決定する。
【００３８】
図３のステップＳ３１５に次いでステップＳ３１６では、この時、前述の各領域に対する最適記録レーザパワーテーブルにおける該当領域の最適記録レーザパワーをＰｉｎからステップＳ４０５で求めた最適記録レーザパワー（Ｐａ）に変更し、記憶手段８へ記憶してステップＳ３１０に戻る。
【００３９】
Ｐｚｎ´＝  Ｐａ（ｎ＝１、２・・・）
なお、記録レーザーパワー学習Ｂは、パワーキャリブレーションエリアで決定された記録レーザパワーＰｉｎで試し書きを行い、再生した記録信号が目標値に達しなかった全ての領域で行われる。
【００４０】
前記ステップＳ３１０において、データ記録がされる容量に対応する予めディスク全面に定義した複数の領域で、既に試し書きを行い、品質確認を行い、各領域での最適記録レーザパワーが設定されたかを確認して、“データ記録を行う全ての領域でそれぞれの最適記録レーザパワーが設定されている”と判定した場合には、ステップＳ３１８以降を実行する。
【００４１】
ステップＳ３１８では、光学ヘッド手段３を光ディスク１のデータ記録開始位置の先頭へトラバース駆動制御手段４により移動する。
ステップＳ３１９では、記憶手段８より該当領域の最適記録レーザパワー設定値を読み出し、レーザ制御手段６に設定し、光学ヘッド手段３より、最適記録レーザパワーを光ディスク１に照射し、データ記録を開始する。記録開始後、予め分割された次の領域に達したとステップＳ３２０で検出されると、ステップＳ３２１を実行する。
【００４２】
ステップＳ３２１では、次の領域用の最適記録パワーを記憶手段８より読み出し、レーザ制御手段６に設定し、光学ヘッド手段３より、該当領域の最適記録パワーを照射し、データ記録を続行する。
【００４３】
ステップＳ３２２では、データ記録が終了したかを判別する。ステップＳ３２２において“データ記録を終了した”と判定するまでは、ステップＳ３２０とステップＳ３２１を繰り返す。ステップＳ３２２において“データ記録を終了した”と判定すると記録動作を終了する。
【００４４】
なお、光ディスク１のプログラムエリア全面に予め定義されている領域の全領域で最適記録パワー学習Ｂを行った場合には、データ記録開始までに時間がかかってしまうので、時間短縮のため、パワーキャリブレーションエリアで学習された記録レーザパワー（Ｐｉｎ）で試し書きを行い、再生して記録品質を確認し、記録品質が悪化している領域のみ最適記録レーザパワーの学習を行い、その領域での最適記録レーザパワー（Ｐａ）の決定を行うものである。
【００４５】
なお、光ディスク１のプログラムエリア全面の予め定義されている領域内において、パワーキャリブレーションエリアにて、学習された記録レーザパワー（Ｐｉｎ）で試し書きされた領域および該当領域にて、記録レーザパワー学習Ｂでテスト記録された領域は、データ記録の際に上書きされる。
【００４６】
以上のように、光ディスクのプログラムエリア全面の予め定義している領域で、最適記録レーザパワーで試し書きを行い、再生し、記録品質を確認し、記録品質が悪化している領域のみその該当領域内で最適記録レーザパワー学習を実行して、各領域におけるそれぞれの最適記録レーザパワーとすることで、光ディスクのプログラムエリア全体において、特に、回路の追加や複雑な処理を必要とせず、メディアの傾きおよび位置における記録感度の違い関係なく、安定した記録品質で記録することができる。特に、記録される容量が光ディスク１の全体の容量に対し、近い場合に好適に利用できる。
【００４７】
（実施の形態２）
図５と図６は（実施の形態１）のステップＳ４０１〜ステップＳ４０５の別の具体例を示す。
【００４８】
この図５と図６に示す第２の記録レーザパワー学習Ｂは、データ領域内の記録レーザパワー学習Ｂに際して極端に最適記録レーザパワーより高い記録パワーで記録を行ってしまうと、その試し書きした領域を上書きした際に上書きした記録品質に影響が出る可能性があるため、ステップＳ５０１では、図６のように、パワーキャリブレーションエリアで学習された最適記録レーザパワー（Ｐｉｎ）を読み出す。
【００４９】
ステップＳ５０２では、Ｐｉｎを基準として、試し書きを行う複数段階の記録レーザパワーを算出する。
ステップＳ５０３では、算出された複数段階の記録レーザパワーにてテスト記録する。
【００５０】
ステップＳ５０４では、テスト記録領域を再生する。
ステップＳ５０５では、最適記録レーザパワー決定する。
（実施の形態３）
図７と図８は（実施の形態１）のステップＳ４０１〜ステップＳ４０５の別の具体例を示す。
【００５１】
この図７と図８に示す第３の記録レーザパワー学習Ｂは、データ領域内の記録レーザパワー学習Ｂの際してメディアの傾き、位置の影響を受けにくくするため、ステップＳ７０１では、図８のように、前領域で用いられた最適記録パワーＰ（ｎ−１）を読み出す。
【００５２】
ステップＳ７０２では、Ｐ（ｎ−１）を基準として、試し書きを行う複数段階の記録レーザパワーを算出する。
ステップＳ７０３では、算出された複数段階の記録レーザパワーにてテスト記録する。
【００５３】
ステップＳ７０４では、テスト記録領域を再生する。
ステップＳ７０５では、最適記録レーザパワーを決定する。
なお、上記の各実施の形態において、パワーキャリブレーションエリアで学習された最適記録レーザパワー（Ｐｉｎ）で試し書きされた領域にて、再生し、記録品質を確認し、記録品質が悪化している領域に対しては、毎回その該当領域内で最適記録レーザパワー学習を実行するように記載しているが、一度調整した最適記録レーザパワーテーブルを光ディスク上に記録しておくことで、２回目以降は、その記録された最適記録レーザパワーで試し書きを行うことで、処理時間を短縮することも可能である。
【産業上の利用可能性】
【００５４】
本発明の光ディスク記録方法は、光ディスクの傾きや位置における記録感度の違いの影響が大きい光ディスクに対しても安定した記録品質で記録することができ、光ディスク記録を搭載した各種情報機器の信頼性の向上に寄与できる。
【図面の簡単な説明】
【００５５】
【図１】本発明の実施の形態１における光ディスク装置の構成図
【図２】同実施の形態における光ディスクにおける定義された領域および各領域における最適記録パワーの関係図
【図３】同実施の形態における中央処理手段のフローチャート図
【図４】実施の形態における最適記録レーザパワー学習Ｂのフローチャート図
【図５】本発明の実施の形態２における第２の最適記録レーザパワー学習Ｂのフローチャート図
【図６】同実施の形態における光ディスクにおける定義された領域および各領域における最適記録パワーの関係図
【図７】本発明の実施の形態３における第２の最適記録レーザパワー学習Ｂのフローチャート図
【図８】同実施の形態における光ディスクにおける定義された領域および各領域における最適記録パワーの関係図
【図９】本発明の実施の形態１におけるＲＦ信号のアシンメトリ、変調度の説明図
【符号の説明】
【００５６】
１    光ディスク
２    光ディスク回転制御手段
３    光学ヘッド手段
４    トラバース駆動制御手段
５    信号処理手段
６    レーザ制御手段
７    中央処理手段
８    記憶手段
【図１】
2008204571.tif 000003
【図２】
2008204571.tif 000004
【図３】
2008204571.tif 000005
【図４】
2008204571.tif 000006
【図５】
2008204571.tif 000007
【図６】
2008204571.tif 000008
【図７】
2008204571.tif 000009
【図８】
2008204571.tif 000010
【図９】
2008204571.tif 000011